(57)【要約】  利用者が乗りかごの走行方向表示を一見しただけで、乗りかごが停止中か走行中かについて容易かつ即座に判断することが可能であるエレベータの表示装置を得る。このため、エレベータの乗りかご内及び前記乗りかごが停止する階床の乗場の少なくとも一方に設けられた表示器と、前記表示器に、前記乗りかごの停止時及び走行時において前記乗りかごの走行方向を示す走行方向表示を表示させるかご情報表示手段と、を備え、前記かご情報表示手段は、前記乗りかごの走行時に前記表示器に表示される前記走行方向表示の形態を、前記乗りかごの停止時の前記走行方向表示の形態とは異なる形態にする構成とする。
2010087014.tif 000002
【特許請求の範囲】
【請求項１】
エレベータの乗りかご内及び前記乗りかごが停止する階床の乗場の少なくとも一方に設けられた表示器と、
前記表示器に、前記乗りかごの停止時及び走行時において前記乗りかごの走行方向を示す走行方向表示を表示させるかご情報表示手段と、を備え、
前記かご情報表示手段は、前記乗りかごの走行時に前記表示器に表示される前記走行方向表示の形態を、前記乗りかごの停止時の前記走行方向表示の形態とは異なる形態にすることを特徴とするエレベータの表示装置。
【請求項２】
前記かご情報表示手段は、前記乗りかごの走行時に前記表示器に表示される前記走行方向表示の形態を、前記走行方向表示が鉛直軸を中心として水平方向に回転しているように利用者に見えるように表示する形態とすることを特徴とする請求項１に記載のエレベータの表示装置。
【請求項３】
前記かご情報表示手段は、前記乗りかごの走行時に前記表示器に表示される前記走行方向表示の形状を、前記乗りかごの停止時の前記走行方向表示の形状とは異なる形状にすることを特徴とする請求項１又は請求項２のいずれかに記載のエレベータの表示装置。
【発明の詳細な説明】
【技術分野】
【０００１】
この発明は、エレベータの表示装置に関するものである。
【背景技術】
【０００２】
エレベータのかご内や乗場には、乗りかごの走行方向や現在の階床位置を利用者に対して表示するための表示装置が設けられている。従来この表示装置の表示手段としては、ドットマトリクス式発光ダイオード（ＬＥＤ：Ｌｉｇｈｔ  Ｅｍｉｔｔｉｎｇ  Ｄｉｏｄｅ）が広く採用されてきた。
これに対して、近年は、液晶ディスプレイ（ＬＣＤ：Ｌｉｑｕｉｄ  Ｃｒｙｓｔａｌ  Ｄｉｓｐｌａｙ）といった表示材料が、コストダウン等が図られたこともあって、新たな表示手段として採用されるようになってきている。こうしたことにより、従来エレベータの状態情報が二次元でしか表示できなかったものが、擬似的に奥行き感を出す三次元的な表現が可能となって、表示の自由度が高まってきている。【０００３】
このような技術背景において、従来におけるエレベータの表示装置として、ドットマトリクスより構成された表示器よりなる表示器の表示内容を上下方向や左右方向に移動可能にした表示装置において、２つの表示内容、例えば、乗りかごの階床位置等と乗りかごの走行方向に合わせて上下方向に移動する縞模様、あるいは、群管理エレベータにおいて先発かごとその走行方向とを左右方向に移動する矢印で結ぶ等、を異なる態様で（例えば表示輝度を変える）同時に表示可能とするものが知られている（例えば、特許文献１参照）。【０００４】
また、従来において、１つの領域においてエレベータ乗りかごの上下両方向の移動について告知する表示装置としては、当該１つの領域内に２つの異なる発光色で発光可能なＬＥＤを設け、乗りかごの移動方向を示す矢印を発光表示するとともに、この矢印を乗りかごの移動方向と同方向すなわち上下方向にスクロール表示するものが知られている（例えば、特許文献２参照）。【０００５】
そして、従来の乗りかごの現在の階床位置を表示するものにおいては、表示用液晶パネルの中央部にかご位置を示す枠を形成して、階床を示す数字の文字列をこの枠を中心に上下方向にリアルタイムに表示し、乗りかごの走行に合わせて上下方向にスクロールさせるとともに、階床表示用の文字のサイズを乗りかごの速度に反比例させて、乗りかごの速度が速いほど文字サイズを小さくするものが知られている（例えば、特許文献３参照）。【０００６】
さらに、同じく従来の乗りかごの現在の階床位置を表示するものにおいて、階床名アイコンを階の順番で環状に配置することによって得られる環状アイコン列を表示部に表示させ、乗りかごの現在階床の階床名アイコンが常に当該表示部の手前側（下方側）に配置されるように、乗りかごの移動に合わせて環状アイコン列を回転させるものや、この際に、手前側に配置される現在階床の階床名アイコンを１番大きなサイズとし、この現在階床の階床名アイコンから離れる毎に、他の階床名アイコンを徐々に小さなサイズとすることで、擬似的に三次元表示として奥行き感を表現するものが知られている（例えば、特許文献４参照）。【０００７】
【特許文献１】日本特開昭５９−０１７４７４号公報
【特許文献２】日本特開平０６−１７９５８２号公報
【特許文献３】日本特開２００１−３１０８８２号公報
【特許文献４】国際公開ＷＯ０３／０８６９３４号
【発明の開示】
【発明が解決しようとする課題】
【０００８】
しかしながら、これらの特許文献に示された従来におけるエレベータの表示装置においては、乗りかごの走行方向を示す走行方向表示のみをもってしては、乗りかごが停止中か走行中かについて即座に判断することが難しいという課題がある。
そして、この点につき、特許文献３及び４に示されたものは現在階床表示をスクロールさせることにより乗りかごが停止中か走行中かという情報を表現しているものであるが、この場合、利用者がこの表示を一見しただけでは、そのタイミングによっては表示がスクロールしているとはすぐに気付くことができないことが考えられ、そうすると乗りかごが停止中か走行中かについて即座に判断することが難しいという前述同様の課題がある。【０００９】
また、これらの特許文献に示されたいずれにおいても、乗りかごの走行方向表示についてみてみると、走行方向を示す矢印を上下方向にスクロール表示させるのみであり単純であって、走行方向表示をもってして、乗りかご内の利用者が感じる密閉感や、乗りかごの呼び待ちをしている利用者が感じる不満感等を緩和することができないという課題もある。【００１０】
この発明は、前述のような課題を解決するためになされたもので、第１の目的は、利用者が乗りかごの走行方向表示を一見しただけで、乗りかごが停止中か走行中かについて容易かつ即座に判断することが可能であるエレベータの表示装置を得るものである。
また、第２の目的は、乗りかご内の利用者が感じる密閉感や、乗りかごの呼び待ちをしている利用者が感じる不満感等を緩和することができるような走行方向表示を表示するエレベータの表示装置を得るものである。
【課題を解決するための手段】
【００１１】
この発明に係るエレベータの表示装置においては、エレベータの乗りかご内及び前記乗りかごが停止する階床の乗場の少なくとも一方に設けられた表示器と、前記表示器に、前記乗りかごの停止時及び走行時において前記乗りかごの走行方向を示す走行方向表示を表示させるかご情報表示手段と、を備え、前記かご情報表示手段は、前記乗りかごの走行時に前記表示器に表示される前記走行方向表示の形態を、前記乗りかごの停止時の前記走行方向表示の形態とは異なる形態にする構成とする。
【発明の効果】
【００１２】
この発明はエレベータの表示装置において、エレベータの乗りかご内及び前記乗りかごが停止する階床の乗場の少なくとも一方に設けられた表示器と、前記表示器に、前記乗りかごの停止時及び走行時において前記乗りかごの走行方向を示す走行方向表示を表示させるかご情報表示手段と、を備え、前記かご情報表示手段は、前記乗りかごの走行時に前記表示器に表示される前記走行方向表示の形態を、前記乗りかごの停止時の前記走行方向表示の形態とは異なる形態にする構成としたことで、利用者が乗りかごの走行方向表示を一見しただけで、乗りかごが停止中か走行中かについて容易かつ即座に判断することができるという効果を奏する。
【図面の簡単な説明】
【００１３】
【図１】この発明の実施の形態１に係るエレベータの表示装置の全体構成を示す図である。
【図２】この発明の実施の形態１に係る走行方向表示の変化を説明する図である。
【図３】この発明の実施の形態１に係るエレベータの表示装置の動作の流れを示すフロー図である。
【符号の説明】
【００１４】
１    乗りかご
１ａ  かご表示器
１ｂ  かご内行先ボタン
１ｃ  かご側かご情報表示手段
１ｄ  かご通信手段
２    乗場操作表示装置
２ａ  乗場表示器
２ｂ  乗場呼びボタン
２ｃ  乗場側かご情報表示手段
２ｄ  乗場通信手段
３    制御装置
３ａ  制御装置通信手段
３ｂ  運行制御手段
３ｃ  呼び登録手段
【発明を実施するための最良の形態】
【００１５】
この発明を添付の図面に従い説明する。各図を通じて同符号は同一部分又は相当部分を示しており、その重複説明は適宜に簡略化又は省略する。【００１６】
実施の形態１．
図１から図３は、この発明の実施の形態１に係るもので、図１はエレベータの表示装置の全体構成を示す図、図２は走行方向表示の変化を説明する図、図３はエレベータの表示装置の動作の流れを示すフロー図である。【００１７】
図において１はエレベータの昇降路（図示せず）内に昇降自在に配置された乗りかご１であり、この乗りかご１内であって、乗りかご１の前面中央に設けられたかご出入口の側方の側壁部には、前記乗りかご１の現在の階床位置や走行方向を表示するかご表示器１ａ及び前記乗りかご１内の利用者が押下することにより行先呼びを登録するためのかご内行先ボタン１ｂが設置されている。
このかご表示器１ａは、液晶ディスプレイ（ＬＣＤ）、ＥＬディスプレイ（Ｅｌｅｃｔｒｏｌｕｍｉｎｅｓｃｅｎｃｅ  Ｄｉｓｐｌａｙ）やプラズマディスプレイ（ＰＤＰ：Ｐｌａｓｍａ  Ｄｉｓｐｌａｙ  Ｐａｎｅｌ）等が用いられて構成され、その具体的な表示内容は、前記乗りかご１に設けられ、かご表示器１ａと電気的に接続されたかご側かご情報表示手段１ｃにより制御されている。【００１８】
前記乗りかご１が停止する各階床の乗場（図示せず）には乗場操作表示装置２がそれぞれ設置されており、これらの乗場操作表示装置２には、前記乗りかご１の現在の階床位置や走行方向を表示する乗場表示器２ａ及び前記乗場の利用者が押下することにより上方向又は下方向の乗場呼びを登録するためのかご内行先ボタン１ｂが備えられている。
この乗場表示器２ａは、前記かご表示器１ａと同様、液晶ディスプレイ（ＬＣＤ）、ＥＬディスプレイやプラズマディスプレイ（ＰＤＰ）等が用いられて構成されており、その具体的な表示内容は、各前記乗場に設けられ、乗場表示器２ａと電気的に接続された乗場側かご情報表示手段２ｃにより制御されている。【００１９】
当該エレベータの動作全般については制御装置３により制御されており、この制御装置３は、制御装置通信手段３ａを介して、前記乗りかご１及び前記乗場操作表示装置２と通信可能に接続されている。
より詳しくは、前記制御装置３の前記制御装置通信手段３ａは、前記乗りかご１のかご通信手段１ｄと接続され、このかご通信手段１ｄは、前記かご内行先ボタン１ｂ及び前記かご側かご情報表示手段１ｃと接続されている。また、前記制御装置３の前記制御装置通信手段３ａは、前記乗場毎に設けられた乗場通信手段２ｄとも接続されており、この乗場通信手段２ｄは前記乗場呼びボタン２ｂ及び前記乗場側かご情報表示手段２ｃと、各階床の前記乗場毎に接続されている。【００２０】
前記制御装置３には、主に前記乗りかご１の運行動作の制御を行う運行制御手段３ｂ、及び、前記かご内行先ボタン１ｂ及び前記乗場呼びボタン２ｂに対する操作に応じて、行先呼び及び乗場呼びの各種呼び登録を行う呼び登録手段３ｃが備えられている。【００２１】
利用者が前記かご内行先ボタン１ｂを押下すると、この操作情報が前記かご通信手段１ｄ及び前記制御装置通信手段３ａを介して前記呼び登録手段３ｃへと送信され、これを受けた前記呼び登録手段３ｃは押下された前記かご内行先ボタン１ｂに対応する階床についての行先呼びを登録する。
また、利用者が前記乗場呼びボタン２ｂを押下すると、この操作情報が前記乗場通信手段２ｄ及び前記制御装置通信手段３ａを介して前記呼び登録手段３ｃへと送信され、これを受けた前記呼び登録手段３ｃは押下された前記乗場呼びボタン２ｂに対応する前記乗場及び走行方向についての乗場呼びを登録する。【００２２】
前記運行制御手段３ｂは、前記呼び登録手段３ｃにより登録された各種呼び登録情報や、前記乗りかご１の現在の階床位置や走行方向等の状況に関する情報に基づいて、前記乗りかご１の運行を制御する。【００２３】
また、前記乗りかご１の現在の階床位置や走行方向等の状況に関する情報は、前記制御装置通信手段３ａを介して前記かご通信手段１ｄ及び前記乗場通信手段２ｄに対しても送信される。そして、この前記乗りかご１の現在の階床位置や走行方向等の状況に関する情報は、前記かご通信手段１ｄから前記かご側かご情報表示手段１ｃへと送信され、また、前記乗場通信手段２ｄから前記乗場側かご情報表示手段２ｃへと送信される。
前記かご側かご情報表示手段１ｃはこうして取得した前記乗りかご１の現在の階床位置や走行方向等の状況に関する情報に基づいて、前記かご表示器１ａにこれらの情報を表示する。また、同様に、前記乗場側かご情報表示手段２ｃは取得した前記乗りかご１の現在の階床位置や走行方向等の状況に関する情報に基づいて、前記乗場表示器２ａにおいてこれらの情報の表示を行う。【００２４】
この前記乗りかご１の現在の階床位置に関する情報については、階床番号を表示することにより行われるが、この階床番号表示は、前記乗りかご１がある階床に対して所定の距離範囲以内に接近したときに、当該階床を示す番号へと切替えられる。【００２５】
図２は、前記かご表示器１ａ及び前記乗場表示器２ａにおける、前記乗りかご１の走行方向表示の変化例を示すものである。まず、前記乗りかご１の走行方向が上方向である場合について、図２（Ａ）を参照して説明する。【００２６】
最初に、前記乗りかご１が上方向の走行方向を割当てられた状態においてある階床に停止しているときには、前記かご表示器１ａ及び前記乗場表示器２ａに表示される前記走行方向表示は、上方向を示す矢尻部分のみの矢印として上を向いた中抜きの三角形が表示される（Ｆ１）。次に、前記乗りかご１が上方向に走行を始めると、前記走行方向表示の形状は、上向きの略矢羽形、すなわち、三角形から底辺を除いた形に変化する。そして、同時に、三次元空間中に鉛直方向を軸として水平方向に回転しているように見えるように略矢羽形を回転表示する（Ｆ２）。【００２７】
こうして前記乗りかご１が上方向に走行中は、上向きの略矢羽形を水平方向回転表示させ（Ｆ３〜Ｆ６）、前記乗りかご１が行先階床に到着して停止すると、前記走行方向表示の形状を上向きの略矢羽形から上を向いた中抜きの三角形へと戻し、同時に水平方向回転を止めて正面向きの表示とする（Ｆ７）。【００２８】
次に、前記乗りかご１の走行方向が下方向である場合について、図２（Ｂ）を参照して説明する。
まず、前記乗りかご１が下方向の走行方向を割当てられた状態においてある階床に停止しているときには、前記かご表示器１ａ及び前記乗場表示器２ａに表示される前記走行方向表示は、下方向を示す矢尻部分のみの矢印として下を向いた中抜きの倒立三角形が表示される（Ｆ８）。次に、前記乗りかご１が下方向に走行を始めると、前記走行方向表示の形状は、下向きの略矢羽形、すなわち、倒立三角形から上辺を除いた形に変化する。そして、同時に、三次元空間中に鉛直方向を軸として水平方向に回転しているように見えるように略矢羽形を回転表示する（Ｆ９）。【００２９】
こうして前記乗りかご１が下方向に走行中は、下向きの略矢羽形を水平方向回転表示させ（Ｆ１０〜Ｆ１３）、前記乗りかご１が行先階床に到着して停止すると、前記走行方向表示の形状を下向きの略矢羽形から下を向いた中抜きの倒立三角形へと戻し、同時に水平方向回転を止めて正面向きの表示とする（Ｆ１４）。【００３０】
この実施の形態にあっては、エレベータの表示装置は、図３に示す一連のフローに従って動作する。なお、ここでは、利用者により前記乗りかご１内の前記かご内行先ボタン１ｂが押下された場合の動作について説明するが、利用者により前記乗場の前記乗場呼びボタン２ｂが押下された場合の動作についても同様である。【００３１】
まず、前記乗りかご１内の利用者により前記かご内行先ボタン１ｂが押下されると、この操作情報が前記かご通信手段１ｄ及び前記制御装置通信手段３ａを介して前記呼び登録手段３ｃへと送信され、これを受けて前記呼び登録手段３ｃは、受信した操作情報に基づいて行先呼びを登録する（ステップＳ１）。
こうして行先呼びが登録されると、次に、前記運行制御手段３ｂは、この登録された行先呼びに応答すべく前記乗りかご１の走行を開始する（ステップＳ２）。【００３２】
続いて、ステップＳ３へと進み、前記かご側かご情報表示手段１ｃは、前記かご表示器１ａに表示された前記走行方向表示を、正面向きで停止した中抜き三角形から略矢羽形へと変え、同時に鉛直方向を軸として水平方向に回転表示する。また、前記乗場側かご情報表示手段２ｃは、前記乗場表示器２ａに表示された前記走行方向表示を、正面向きで停止した中抜き三角形から略矢羽形へと変え、同時に鉛直方向を軸として水平方向に回転表示する。
そして、前記乗りかご１が走行中は、前記走行方向表示として水平回転する略矢羽形の表示を継続し、前記乗りかご１が前記行先呼び登録の目的階に到着して停止すると（ステップＳ４）、前記かご側かご情報表示手段１ｃは、前記かご表示器１ａに表示された前記走行方向表示の水平方向回転表示を止め、同時に略矢羽形から正面向きで停止した中抜き三角形へと変える。また、前記乗場側かご情報表示手段２ｃは、前記乗場表示器２ａに表示された前記走行方向表の水平方向回転表示を止め、同時に略矢羽形から正面向きで停止した中抜き三角形へと変える（ステップＳ５）。そして、全ての呼び登録に対する応答が完了するまでステップＳ２〜Ｓ５の動作が繰り返され、全ての呼び登録に対して応答し終わった後に新たな呼び登録がなされた場合には、ステップＳ１から動作が開始される。【００３３】
なお、ここでは、前記乗りかご１の走行方向を表示する表示器を前記乗りかご１内と前記乗場の両方に前記かご表示器１ａ及び前記乗場表示器２ａとして設けたが、これらのいずれか一方のみを設けるようにしてもよい。
また、これらの表示器を、操作ボタンやこれが収納された操作盤から分離させて、大型の液晶ディスプレイ等で構成するようにしてもよい。【００３４】
以上のように構成されたエレベータの表示装置においては、エレベータの乗りかご内及び前記乗りかごが停止する階床の乗場の少なくとも一方に設けられた表示器に、かご情報表示手段の制御の下で、乗りかごの停止時及び走行時において乗りかごの走行方向を示す走行方向表示を表示させるとともに、かご情報表示手段は、乗りかご走行時に表示器に表示される走行方向表示の形態、すなわち表示の形状及び回転状態、を、乗りかご停止時の走行方向表示の形態とは異なる形態にすることにより、利用者が乗りかごの走行方向表示を一見しただけで、乗りかごが停止中か走行中かについて容易かつ即座に判断することができる。【００３５】
また、乗りかごの走行時に表示器に表示される走行方向表示の形態を、走行方向表示が鉛直軸を中心として水平方向に回転しているように利用者に見えるように表示する形態とすることで、利用者による乗りかごの走行状態について非常に容易に、かつ即座に判断することができるとともに、乗りかご内の利用者が感じる密閉感や、乗りかごの呼び待ちをしている利用者が感じる不満感等を緩和することも可能である。【００３６】
そして、乗りかごの停止時と走行時における走行方向表示の形態変化として、乗りかごの走行時に表示器に表示される走行方向表示の形状自体を、乗りかごの停止時の走行方向表示の形状とは異なる形状にすることは、利用者が乗りかごの走行方向表示を一見しただけで乗りかごの走行状態を把握することに非常に効果的である。
【産業上の利用可能性】
【００３７】
この発明は、エレベータの乗りかご内又は乗場において、乗りかごの走行方向を表示するエレベータの表示装置に利用できる。
【図１】
2010087014.tif 000003
【図２】
2010087014.tif 000004
【図３】
2010087014.tif 000005
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
エレベータの乗りかご内及び前記乗りかごが停止する階床の乗場の少なくとも一方に設けられた表示器と、
前記表示器に、前記乗りかごの停止時及び走行時において前記乗りかごの走行方向を示す走行方向表示を表示させるかご情報表示手段と、を備え、
前記かご情報表示手段は、前記乗りかごの走行時に前記表示器に表示される前記走行方向表示の形態を、前記走行方向表示が鉛直軸を中心として水平方向に回転している略矢羽型に利用者に見えるように表示する形態とするとともに、前記乗りかごの停止時に前記表示器に表示される前記走行方向表示の形態を、前記走行方向表示が停止した三角形に利用者に見えるように表示する形態とすることを特徴とするエレベータの表示装置。
【手続補正２】
【補正対象書類名】明細書
【補正対象項目名】００１１
【補正方法】変更
【補正の内容】
【００１１】
この発明に係るエレベータの表示装置においては、エレベータの乗りかご内及び前記乗りかごが停止する階床の乗場の少なくとも一方に設けられた表示器と、前記表示器に、前記乗りかごの停止時及び走行時において前記乗りかごの走行方向を示す走行方向表示を表示させるかご情報表示手段と、を備え、前記かご情報表示手段は、前記乗りかごの走行時に前記表示器に表示される前記走行方向表示の形態を、前記走行方向表示が鉛直軸を中心として水平方向に回転している略矢羽型に利用者に見えるように表示する形態とするとともに、前記乗りかごの停止時に前記表示器に表示される前記走行方向表示の形態を、前記走行方向表示が停止した三角形に利用者に見えるように表示する形態とする構成とする。
【手続補正３】
【補正対象書類名】図面
【補正対象項目名】図１
【補正方法】変更
【補正の内容】
【図１】
2010087014.tif 000006
【国際調査報告】
2010087014.tif 000007
2010087014.tif 000008
2010087014.tif 000009
2010087014.tif 000010